Podtech/llm-jp-corpus-v4-ja_patent huggingface dataset:
(57)【要約】【課題】装飾性に優れ、ボタンに対する着脱動作が容易で、ボタンから不用意に外れることがないボタンカバーを提供する。【課題の解決手段】ボタンカバー１は、底面が開口されてボタン１０に嵌合される天板２ａを有する嵌合部２と、嵌合部２の天板２ａ上面に設けた係合突縁３に係合する上面に装飾模様を有する装飾板４とからなり、嵌合部２の内面にはボタン１０に圧接する一対の突起５，６を対向位置から上下方向に離反して配置したものである。【選択図】図１
0003200721.tif 000002
【実用新案登録請求の範囲】
【請求項１】
底面が開口されて上面が閉塞されたボタンに嵌合される嵌合部と、嵌合部の上面に設けられた装飾部とからなり、前記嵌合部の内面にはボタンに圧接する突起を設けたことを特徴とするボタンカバー。
【請求項２】
前記突起は、対向位置から上下方向に離反して配置した一対の突起からなることを特徴とする請求項１に記載のボタンカバー。
【考案の詳細な説明】
【技術分野】
【０００１】
本考案は、ワイシャツ、ブラウス、スーツ、コート等の各種洋服のボタンに着脱可能に嵌合する装飾用のボタンカバーに関する。
【背景技術】
【０００２】
従来、この種のボタンカバーとして、例えば、袋状の伸縮性を有するカバーの裏面側に、ボタンを収容するための開口を有し、カバーの表面側には飾り板を有し、前記開口の周りにはゴム紐等の伸縮紐を設けた構成が知られている（特許文献１）。
【先行技術文献】
【特許文献】
【０００３】
【特許文献１】特開平１０―２６２７０８号公報
【考案の概要】
【考案が解決しようとする課題】
【０００４】
しかし、従来のボタンカバーは、ボタンを収容するための開口の周囲に伸縮紐を設けているため、大きなボタンの場合はさほどでもないが、ワイシャツのボタンのように、小さなボタンの場合には、ボタンの裏側に指を入れて開口を広げなければならないので、着脱動作が容易ではないという不都合があった。
本考案は、この不都合を解消したボタンカバーを提供することを目的とする。
【課題を解決するための手段】
【０００５】
この目的を達成するため本考案の請求項１に係るボタンカバーは、底面が開口されて上面が閉塞されたボタンに嵌合される嵌合部と、嵌合部の上面に設けられた装飾部とからなり、前記嵌合部の内面にはボタンに圧接する突起を設けたものである。
【０００６】
また、本考案の請求項２に係るボタンカバーは、前記請求項１の構成において、前記突起は、対向位置から上下方向に離反して配置した一対の突起からなるものである。
【考案の効果】
【０００７】
本考案に係るボタンカバーによれば、装飾性に優れるほか、嵌合部の外側を把持して、ボタンに対して装着、脱却できるので、ボタンが小さい場合でも着脱動作が容易であり、また、突起がボタンに圧接するので確実に嵌合し、不用意に外れることがないという効果を奏する。
【図面の簡単な説明】
【０００８】
【図１】本考案の一実施形態を示す拡大断面図。
【図２】同じく拡大底面図。
【図３】同じく拡大平面図。
【考案を実施するための形態】
【０００９】
以下、本考案の好適な一実施形態を添付図面に基づいて説明する。
図１〜図３に示すように、ボタンカバー１は、底面が開口されてボタン１０に嵌合される円環状の嵌合部２を有する。この嵌合部２の上面は閉塞されて天板２ａとなるとともに、この天板２ａの上面の周縁には基端から上端に向けて若干ではあるが徐々に縮径された係合突縁３を設けている。そして、この嵌合部２の内径と内高（内面の下端から天板２ａ迄の高さ）は、使用対象となる嵌合するボタン１０の大きさに合わせ、後述する突起の大きさも考慮して、設定される。ボタンカバー１の材質としては、一定の形状は維持可能で嵌合部２が径方向に変位可能な弾性を有するものがよく、例えば、薄い金属、合成樹脂等が好適である。
【００１０】
そして、嵌合部２の天板２ａの上面には、その周面が係合突縁３に係合するようにして、装飾部である円板状の装飾板４が固着されている。図３に示すように、前記装飾板４の上面全体には、装飾模様４ａが施されている。この装飾模様４ａは、図示の幾何学模様に限らず、色彩も含め任意に形成することができる。また、装飾板４と前記係合突縁３の各上面の位置関係は、同一高さに位置するほか、装飾板４上面が突出状態にあってもよいし、装飾板４上面が低い位置にあってもよい。
【００１１】
また、図１及び図２に示すように、嵌合部２の内面にはボタン１０に圧接する一対の突起５，６を設けている。前記一対の突起５，６は、表面が曲面をなすもので、対向位置から上下方向に離反して配置され、上方の突起５は下方の突起６よりも大きく形成されている。これらの突起５，６は、嵌合部２を加工して一体的に形成してもよいし、別体として作成したうえ嵌合部２に貼付等の適宜な手段で固着してもよい。
【００１２】
以上のように構成したボタンカバー１を使用するには、嵌合部２の外側を把持して、洋服のボタンホール（図示せず）に係止したボタン１０の上方から開口部分をボタン１０に対応させ、突起５，６の抵抗力に抗しながら押し込むようにして嵌合すればよい。この嵌合状態においては、前記突起５，６がボタン１０に圧接することにより、ボタンカバー１がボタン１０から不用意に脱却することはない。
【００１３】
一方、ボタン１０からボタンカバー１を脱却するには、嵌合部２の外側を把持して、突起６を支点として突起５部分の嵌合部２を上方に回動するよう変位すればよい。この変位によって、突起５とボタン１０との圧接状態が解除され、ボタンカバー１はボタン１から脱却される。このとき、突起５を突起６よりも大きく形成してあるので、前記回動動作は容易になされる。
【００１４】
なお、本考案は上述の実施形態に限定されるものではなく、例えば、一対の突起５，６の大きさは同一であってもよい。また、突起は一つでもよく、この場合は嵌合部２内面の上下方向の中央部に設けるとよい。さらに、装飾部は、係合突縁３に係合する装飾板４の上面に装飾模様４ａを施したものに限らず、天板２ａの上面に直接装飾模様４ａを施した構成でもよい。この構成の場合は、前記係合突縁３は設ける必要がない。またさらに、前記係合突縁３の外周面上端角部は、図１に示す直状に限らず、アール状に形成してもよい。
【符号の説明】
【００１５】
１      ボタンカバー
２      嵌合部
２ａ      天板
３      係合突縁
４      装飾板
４ａ      装飾模様
５，６      突起
１０      ボタン
【図１】
0003200721.tif 000003
【図２】
0003200721.tif 000004
【図３】
0003200721.tif 000005
(57)【要約】      （修正有）【課題】金属製雨樋の軒どいの菊止めを、簡単に形の良い美しいものに形成することができる菊止め形成工具を提供する。【解決手段】板金用つかみ工具の上刃下刃の形状を次のように改良する。１．下刃１の先端から刃元にかけて溝を設ける、その溝の形状は、刃先は丸く刃元はＶ字形、刃先の丸から、なだらかに刃元のＶ字形に移行する形状である。２．上刃２は下刃１に緩く合致する形状である。【選択図】図３
0003200168.tif 000002
【実用新案登録請求の範囲】
【請求項１】
板金工具つかみの刃を次のように改良した。下刃の先端から刃元にかけて溝を設ける、その溝の形状は、刃先は丸く刃元はＶ字形、刃先の丸から、なだらかに刃元のＶ字形に移行する形状であり、上刃は下刃に緩く合致する形状である。  以上の構成の、菊止め形成工具。
【考案の詳細な説明】
【技術分野】
【０００１】  本考案は、金属製雨樋の軒樋の菊止めに関するものである。
【背景技術】
【０００２】  これまで金属製軒樋の菊止めは、板金工具のヤットコで形成していたが、形の良い美しいものを形成するには、板金職の熟練の技術が必要であった。
【考案の概要】
【考案解決しようとする課題】
【０００３】  金属製の軒樋の菊止めは、板金工具のヤットコで形成していたが、形の良い美しいものを簡単に形成する菊止め専用の工具は無かった。
【課題を解決するための手段】
【０００４】  本考案は、形の良い美しい菊止めを簡単に形成する為の工具の提供である。
板金工具つかみの上刃と下刃の形状を次のように改良した。
１  下刃１の先端から刃元にかけて溝を設ける、その溝の形状は、刃先は丸く刃元は        Ｖ字形、刃先の丸から、なだらかに刃元のＶ字形に移行する形状である。
２  上刃２は下刃１に緩く合致する形状である。
【考案の効果】
【０００５】  図４に示す様に、この菊止め形成工具を使用すれば簡単に形の良い美しい菊止めを形成することが出来た。
【図面の簡単な説明】
【０００６】
【図１】本考案の菊止め形成工具の側面図。
【図２】本考案の菊止め形成工具の平面図。
【図３】本考案の菊止め形成工具の断面図。
【図４】本考案の菊止め形成工具の実施例の斜視図。
【考案を実施するための形態】
【０００７】    板金工具つかみの刃先の形状を次のように改良した。
１  下刃１の先端から刃元にかけて溝を設ける、その溝の形状は、刃先は丸く刃元は        Ｖ字形、刃先の丸から、なだらかに刃元のＶ字形に移行する形状である。
２  上刃２は下刃１に緩く合致する形状である。
【実施例】
【０００８】  図４に示す様に、軒樋の端を所定の高さに立ち上げて、上述の様に形成した刃を持つ工具で立ち上げた部分を一回つかむと菊の花びらの溝が一つ出来ます、この花びら形の溝を複数均等に、立ち上げた部分に付け、溝の谷の所を裏側から直つかみの先端でつかみ、前側から谷と谷の間の山の部分を直つかみでつかみながら、菊止めの形状を整えれば簡単に形の良い美しい菊止めが出来る。
【符号の説明】
【０００９】    １  菊止め形成工具の下刃。
２  菊止め形成工具の上刃。
３  菊止め形成工具の柄。
【図１】
0003200168.tif 000003
【図２】
0003200168.tif 000004
【図３】
0003200168.tif 000005
【図４】
0003200168.tif 000006
(57)【要約】      （修正有）【課題】四辺が熱溶着された合成樹脂フィルム製の食品包装体において、小家族であっても適量食べ切ることを可能とする漬物食品包装体を提供する。【解決手段】合成樹脂製の食品包装体１において、食品包装体１は合成樹脂フィルム６が２枚に重ねられ、重ねられた合成樹脂フィルム６のうち３辺７、８、９が熱融着され、熱融着された３辺７、８、９のうち平行な２辺７、９の内側の複数個所をその２辺７、９にそって熱融着して境界部２を形成し、形成された境界部２と境界部２によって複数の小袋３を設け、小袋３のそれぞれに漬物食品４を挿入し、熱融着されていない合成樹脂フィルムの残りの１辺１０を熱融着し、漬物食品４が密封されるとともに、合成樹脂フィルム６の少なくとも１辺８の各小袋の境界部近傍に三角状の切れ込み５を施す。【選択図】図１
0003200169.tif 000002
【実用新案登録請求の範囲】
【請求項１】
合成樹脂製の食品包装体において、
前記食品包装体は合成樹脂フィルムが２枚に重ねられ、
重ねられた前記合成樹脂フィルムのうち３辺が熱融着され、
前記熱融着された３辺のうち平行な２辺の内側の複数個所を該２辺にそって熱融着して境界部を形成し、
形成された前記境界部と境界部によって複数の小袋を設け、
前記小袋のそれぞれに漬物食品を挿入し、
熱融着されていない前記合成樹脂フィルムの１辺を熱融着し、漬物食品が密封されるとともに、前記合成樹脂フィルムの少なくとも１辺の各小袋の境界部近傍に三角状の切れ込みが施されていることを特徴とする漬物食品包装体。
【考案の詳細な説明】
【技術分野】
【０００１】  本考案は、漬物食品包装体に関する。
【背景技術】
【０００２】  従来の漬物食品は、素材を分割することなくそのまま包装され、または、分割し小分けされていたとしても、今日、我が国に進展している小家族において、一度に全部食べきれない分量にて包装され、しばしば販売されている。
【考案の概要】
【考案が解決しようとする課題】
【０００３】  しかし、このように漬物食品が包装されている場合、開封し一度に食べきれずに保存した漬物食品は、空気に触れやすく、鮮度や風味を損ないやすい。
この考案の課題は、いつでも新鮮で風味豊かな漬物食品を食することを可能とするため、小家族であっても適量食べ切ることが可能な漬物食品包装体を提供することである。
【課題を解決するための手段】
【０００４】本考案の漬物食品包装体は、合成樹脂製の食品包装体において、前記食品包装体は合成樹脂フィルムが２枚に重ねられ、重ねられた前記合成樹脂フィルムのうち３辺が熱融着され、前記熱融着された３辺のうち平行な２辺の内側の複数個所を該２辺にそって熱融着して境界部を形成し、形成された前記境界部と境界部によって複数の小袋を設け、前記小袋のそれぞれに漬物食品を挿入し、熱融着されていない前記合成樹脂フィルムの１辺を熱融着し、漬物食品が密封されるとともに、前記合成樹脂フィルムの少なくとも１辺の各小袋の境界部近傍に三角状の切れ込みが施されている構成を具備することで、小家族であっても適量食べ切ることを可能とし、これにより上記課題を解決するものである。
【考案の効果】
【０００５】  本考案の漬物食品包装体は、漬物食品の挿入された小袋が複数個形成されているため、小家族であっても小袋を必要な数だけ開封して食べ切り、残りは新鮮で風味豊かな状態のまま保存しておくことが可能となる。
【図面の簡単な説明】
【０００６】
【図１】本考案の実施形態を表した図である。
【考案を実施するための形態】
【０００７】  図１を参照しながら本考案の実施の形態について説明する。
本食品包装体１は、矩形の合成樹脂フィルム６が２枚に重ねられ、重ねられた合成樹脂フィルム６のうち３辺７，８，９を熱融着する。さらに、熱融着された３辺７，８，９のうち平行な２辺７，９の内側の複数個所をその２辺７，９にそって熱融着して境界部２を形成する。これにより、形成された境界部２と境界部２によって複数の小袋３が設けられる。この小袋３のそれぞれに漬物食品４を挿入し、さらに、熱融着されていない合成樹脂フィルム６の残りの１辺１０を熱融着して、漬物食品４を密封する。
【０００８】  次に、合成樹脂フィルム６の少なくとも１辺８の各小袋３の境界部２の近傍に三角状の切れ込み５を施す。このようにして、漬物用食品包装体１を形成する。なお、本実施例では、食品包装体１は矩形の合成樹脂フィルム６を重ね合わせて３辺７，８．９を熱融着したが、合成樹脂フィルム６を二つ折りにして、２辺７，９を熱融着し、三角状の切れ込み５を合成樹脂フィルム６の１辺１０に設けてもよい。また、三角状の切り込み５は、合成樹脂フィルム６の４辺７，８，９、１０のすべてを熱融着した後に施したが、合成樹脂フィルム６の１辺８を熱融着したすぐ後、もしくは、熱融着と同時に施してもよい。
【０００９】  上記工程により完成した本考案の漬物食品包装体１は、漬物食品の挿入された小袋３が複数個形成されているため、小家族であっても切れ込みによって小袋を必要な数だけ開封して食べ切り、残りは新鮮で風味豊かな状態のまま保存しておくことが可能となる。
【符号の説明】
【００１０】  １  食品包装体
２  境界部
３  小袋
４  漬物食品
５  切れ込み
６  合成フィルム
７，８，９，１０  辺
【図１】
0003200169.tif 000003
(57)【要約】      （修正有）【課題】家族の大事な事柄を記入して長期保存し、受け継がれていく特別な容器を提供する。【解決手段】宝袋のような容器であり、容器本体と蓋からなり、菊結びの房が付いた蓋を開けると、長方形の縦溝状の収納スペース５が長手方向中央にあり、その短手両側に同様の縦溝状の小物入れスペース７があり、収納スペースは１枚又は複数の仕切り板６で区分され、そこに項目別にした資料もしくはその資料を収めた資料ケース８に入れるが、その資料ケース表裏面中央に貫通した通気孔９を斜めに設け、上端縁にインデックス１０を付けた事を特徴とする。【選択図】図２
0003200167.tif 000002
【実用新案登録請求の範囲】
【請求項１】
宝袋のような容器であり、容器本体と蓋からなり、菊結びの房が付いた蓋を開けると、長方形の縦溝状の収納スペースが長手方向中央にあり、その短手両側に同様の縦溝状の小物入れスペースがあり、収納スペースは１枚又は複数の仕切り板で区分され、そこに項目別にした資料もしくはその資料を収めた資料ケースに入れるが、その資料ケース表裏面中央に貫通した通気孔を斜めに設け、上端縁にインデックスを付けた事を特徴とする家族の生活に役立つ資料を入れる特別な容器。
【考案の詳細な説明】
【技術分野】
【０００１】  本考案は、家族の生活に役立つ資料を入れる特別な容器に関するものである。
【背景技術】
【０００２】  人其々に自分自身の大事な記録は、個々にノートやパソコンに載せている。
【考案の概要】
【考案が解決しようとする課題】
【０００４】  ノートやパソコンに記録保存してあることが解っていても、即必要な時に探し出すのに手間取ることが多い。又何か家族に事が起きた時、本人にしか解らない大事な記録があっても本人不在時に連絡をとっても通じ無かったり、伝えられた場所を捜しても解らなく困り果てる事がある。
本考案は、以上の問題点を解決するものである。
【課題を解決するための手段】
【０００５】  宝袋のような容器であり、容器本体と蓋からなり、菊結びの房がついた蓋を開けると長方形の縦溝状の収納スペースが長手方向中央にあり、その短手両側に同様の縦溝状の小物入れスペースがあり、収納スペースは１枚又は複数の仕切り板で区分され、そこに項目別にした資料もしくはその資料を収めた資料ケースを入れるが、その資料ケースの表裏面中央に貫通した通気孔を斜めに設け、上端縁にインデックスを付ける。
以上を特徴とする、家族の生活に役立つ資料を入れる特別な容器である。
【考案の効果】
【０００６】  家族の過去〜未来に役立つであろう資料を総括し特別な容器に入れるため、家族の誰が見ても瞬時に捜しやすい。
本考案は、家族専用ではあるが、必要緊急の場合等、家族の了解が得られれば他人でも関係する医療機関やライフライン、歳時記、防災の情報を見る事ができる。
【図面の簡単な説明】
【０００７】
【図１】  本考案の斜視図
【図２】  本考案の使用状態を示す立体分解図
【考案を実施するための形態】
【０００８】  以下、本実用新案の形態を説明する。
（イ）蓋（１）に摘まみ（２）を設け、そこに菊結びの房（３）をつける。
（ロ）容器本体（４）の中に収納スペース（５）となるような縦溝を設け、この縦溝の中    央に仕切り板（６）を設ける。
（ハ）小物入れスペース（７）も縦溝状に設け、文具・ルーペ・指輪等を入れる。
（ニ）資料ケース（８）は上と左右いずれかを開閉し、表裏面に斜めの通気孔（９）を空    ける。
（ホ）インデックス（１０）は項目別に読み易いよう、ずらしながら付ける。
本実用新案は家族の誰でも捜せる形態になっているが、急な用件が出てきたら直ぐ    に見つけ易いよう、目につき易い場所に置くことが望ましい。
【符号の説明】
【０００９】      １  蓋、      ２  摘まみ、      ３  房、      ４  容器本体、      ５  収納    スペース、      ６  仕切り板、      ７  小物入れスペース、      ８  資料ケー    ス、      ９  通気孔、      １０  インデックス
【図１】
0003200167.tif 000003
【図２】
0003200167.tif 000004
(57)【要約】      （修正有）【課題】ロールペーパーの装飾性を高め、かつロールペーパー保管時の耐水性の向上を図る塩化ビニール製ロールペーパーカバーを提供する。【解決手段】塩化ビニールシートを加工し、ロールペーパー３に装着することで、その装飾性を高め、良好な保管状態の継続と、アロマオイルや香水などの効果を持続させるアロマシート２を付加することで、室内の芳香効果を持たせることを特徴とするものである。【選択図】図２
0003200145.tif 000002
【実用新案登録請求の範囲】
【請求項１】
本考案は薄手の塩化ビニール材料をトムソン加工により打ち抜き、塩化ビニール材料が持つ粘着性を利用し汎用的なロールペーパーに巻き付け固定することでロールペーパー全体を覆い、水濡れなどからロールペーパーを保護することを特徴とする塩化ビニール製ロールペーパーカバー。
【請求項２】
本考案は薄手の塩化ビニール材料をトムソン加工により打ち抜いたロールペーパーを保護するシートの表面に汎用のアロマオイルや香水を付着させることで香りを持続させる効果を持つシートを装着し、ロールペーパーを保管している空間の芳香効果を持つことを特徴とする請求項１に記載の塩化ビニール製ロールペーパーカバー
【請求項３】
前記の材料に対する印刷は、オフセット印刷を用いて絵や文字、写真などを印刷した請求項１に記載の塩化ビニール製ロールペーパーカバー。
【考案の詳細な説明】
【技術分野】
【０００１】  本考案は主として、塩化ビニール材料に対して文字や図画を印刷した、多目的に使用できる利便性の高いノベルティー商品あるいは小売商品に関するものである。
【背景技術】
【０００２】  従来のロールペーパーカバーは薄手の紙でできており、水滴の跳ねや濡れた手で触ることで破れたり汚れたりした。また場合によってはロールペーパー本体へも影響を及ぼしていた。
【考案が解決しようとする課題】
【０００３】  従来のロールペーパーカバーを防水性、耐水性の高い塩化ビニールを用いて作成することで水滴の跳ねなどからロールペーパーカバー本体を保護する。
【０００４】  ロールペーパーの外周を糊やテープなどの接着剤を使用せずに簡易に装飾可能にするものである。また絵柄は印刷により任意の写真や図画を選択できるものとする。
【０００５】  ロールペーパーカバーに汎用のアロマオイルや香水を付着させることで香りを持続させる効果を持つシートを付加することで、芳香作用を付与することが出来、ロールペーパーカバーの快適な使用を促進するものである。
【課題を解決するための手段】
【０００６】  材料の塩化ビニールを製造する際に、可塑剤の量を調整し材料同士の重ね合わせだけで密着性が保たれるようにし、かつ、外周の大きさが複数種類ある汎用的なロールペーパーに対応させるためのスリットが設けられている。またもう一端にはそのスリットを利用してサイズ調整が可能なフック部分が設けられている。
【考案実施の形態】
【０００７】  図１は本考案の塩化ビニール製ロールペーパーカバー（１）の視図である。図１で塩化ビニール製ロールペーパーカバー（１）には本物品の長さ調節用のスリット（ａ）が施され、複数ある汎用的なロールペーパーの長さに対応できるようになっている。また物品左部にはトムソン加工が施され、長さ調節用のスリット（ａ）に掛止ことで本物品の巻き付けを安定させかつ複数あるロールペーパーの長さに対応できるようなフック（ｂ）、が配置されている。また、左辺（ｃ）右辺（ｄ）はロールペーパーに巻き付けた時に必ず右辺（ｄ）が左辺（ｃ）よりも右側に位置することで、塩化ビニール由来の粘着性を利用したロールペーパーへの巻き付けを可能とすることが出来る。またフック（ｂ）には汎用のアロマオイルや香水を付着させることで香りを持続させる効果を持つシート（以下アロマシートと記述）を装着する。
【０００８】  図２は本考案の塩化ビニール製ロールペーパーカバー（１）をロールペーパーに装着したものである。本考案の塩化ビニール製ロールペーパーカバー（１）はあらかじめトムソン加工により物品右部に長さ調節用のスリット（ａ）が施され、本物品をロールペーパーに巻き付け固定したときに、アロマシートが装着されたフック（ｂ）がかならず長さ調節用のスリット（ａ）の範囲内に収まり、最前面へ出ることにより、本考案のロールペーパーへの固定と汎用のアロマオイルや香水を付着させることで香りを持続させる効果を発揮することが出来る。
【図面の簡単な説明】
【０００９】
【図１】本考案の塩化ビニール製ロールペーパーカバーの視図
【図２】図１の塩化ビニール製ロールペーパーカバーをロールペーパーに装着した場合の斜図
【符号の説明】
【００１０】１  塩化ビニール製ロールペーパーカバー
２  アロマシート
３  ロールペーパー
ａ  長さ調節用スリット
ｂ  フック
ｃ  左辺
ｄ  右辺
【図１】
0003200145.tif 000003
【図２】
0003200145.tif 000004
【手続補正書】
【提出日】平成27年7月8日(2015.7.8)
【手続補正１】
【補正対象書類名】実用新案登録請求の範囲
【補正対象項目名】全文
【補正方法】変更
【補正の内容】
【実用新案登録請求の範囲】
【請求項１】
薄手の塩化ビニール材料をトムソン加工により打ち抜き加工を施した当該物品を用いて汎用的なロールペーパーの外周を覆ったときに、当該物品をあらかじめその外周より長く作成することで、塩化ビニール材料が持つ粘着性により当該物品の両端が重なり密着し、ロールペーパーを水濡れから保護することを特徴とする塩化ビニール製ロールペーパーカバー。
【請求項２】
薄手の塩化ビニール材料をトムソン加工により打ち抜いた請求項１に記載の塩化ビニール製ロールペーパーカバーの表面に汎用のアロマオイルや香水を付着させることで香りを持続させる効果を持つシートを装着し、ロールペーパーを保管している空間の芳香効果を持つことを特徴とする請求項１に記載の塩化ビニール製ロールペーパーカバー。
【請求項３】
前記の材料に対する印刷は、オフセット印刷を用いて絵や文字、写真を印刷した請求項１に記載の塩化ビニール製ロールペーパーカバー。
(57)【要約】      （修正有）【課題】首から吊るしたまま取り外すことなくカードホルダーを簡単に横型から縦型に変えることができるようにして煩わしさと紛失の恐れをなくした取付け具を提供する。【解決手段】首から吊るした紐７を通すための穴を有する紐側の取付け具と、カードホルダー取付け用クリップを備えたカードホルダー側の取付け具とからなる取付け具であって、カードホルダー側の取付け具に対して、紐側の取付け具を９０度回転させる機構を有することを特徴とした。【選択図】図１
0003200143.tif 000002
【実用新案登録請求の範囲】
【請求項１】
本考案は、首から吊るした紐とカードホルダーを取付ける取付け具がカードホルダーを取付けたまま取り外さずに９０度回転して横型から縦型に変形でき、取付け具がカードホルダーから大きくはみ出さないことが特徴の取付け具。
【考案の詳細な説明】
【技術分野】
【０００１】  この実用新案は、首から吊るしたままで横型から縦型に簡単に変えることができることを特徴としたカードホルダー用の取付け具に関する。
【背景技術】
【０００２】  セキュリティの観点から勤務時間内や営業訪問時に社員証や名刺をカードホルダーに入れて常時首から下げて何時でも提示できるように義務付ける企業が増えている。
しかし、昼休みや移動中は他人に簡単にみられないようにしまっておく必要があるが、横向きだと上着やシャツの胸ポケットに取付け具が邪魔をして入らず取りはずさなくてはならない。
取り外しが可能なタイプは現在も多く普及しているが、取り外すのはわずらわしく、また、取り外すと紛失の恐れもある。
【先行技術文献】
【特許文献】
【０００３】
【特許文献１】特開平１０−０５７１２１
【特許文献２】特開２０００−２９３１０３
【特許文献３】特開２００４−０３７４９３
【特許文献４】特開２００５−０７３８０７
【特許文献５】特開２００５−０３４５８０
【特許文献６】特開２００６−２０１２００
【特許文献７】特開２００６−０５５６２７
【特許文献８】特開２００８−３０７２３０
【特許文献９】特開２００８−２９５７４８
【特許文献１０】特開２００９−０５８８７８
【特許文献１１】特開２０１１−２１５２３２
【特許文献１２】特開２０１２−１４１３６５
【特許文献１３】特開２０１４−０４１２８８
【特許文献１４】特開２０１５−００４９４１
【特許文献１５】実登３０６８２０１
【特許文献１６】実登３１１６５２４
【特許文献１７】実登３１１０８２６
【特許文献１８】実登３１４１０２０
【特許文献１９】実登３１４６５５７
【考案の概要】
【考案が解決しようとする課題】
【０００４】  首から吊るしたまま取り外すことなくカードホルダーを簡単に横型から縦型に変えることができるようにして煩わしさと紛失の恐れをなくする。
【課題を解決するための手段】
【０００５】  本考案は、首から吊るすための紐を取り付ける取付け具が９０度回転することでカードホルダーを横型から縦型に変えられることで問題を解決する。
【考案の効果】
【０００６】  利用者は、首から吊るしたままで簡単にカードホルダーを横型から縦型に変形させて胸ポケットに収納することができるようになる。
【図面の簡単な説明】
【０００７】
【図１】  カードホルダー用取付け具
【図２】  カードホルダーに取付けた状態（表側）
【図３】  カードホルダーに取付けた状態（裏側）
【考案を実施するための形態】
【０００８】  取付け具をカードホルダーに取付けた状態でカードホルダーが９０度回転するが、９０度以上は回転しない構造を備えていることを特徴とする。
【０００９】  取付け具は、横型取付け状態から９０度回転させて縦型にしたときにカードホルダーから大きくはみ出さない構造を備えていることを特徴とする。
【符号の説明】
【００１０】  １  取付け具（正面）
２  取付け具（正面）９０度回転時
３  取付け具（側面）
４  取付け具（側面）カードホルダー取付けクリップを開いた時
５  取付け具（裏面）
６  取付け具（裏面）９０度回転時
７  首から吊るすための紐
８  カードホルダー側の取付け具分解図
９  首から吊るすための紐側の取付け具分解図
１０  横型カードホルダーに取付けた状態（正面）
１１  横型カードホルダーに取付けて９０度回転させた状態（正面）
１２  横型カードホルダーに取付けた状態（裏面）
１３  横型カードホルダーに取付けて９０度回転させた状態（裏面）
【図１】
0003200143.tif 000003
【図２】
0003200143.tif 000004
【図３】
0003200143.tif 000005
【手続補正書】
【提出日】平成27年6月15日(2015.6.15)
【手続補正１】
【補正対象書類名】実用新案登録請求の範囲
【補正対象項目名】請求項１
【補正方法】変更
【補正の内容】
【請求項１】
首からつるした紐を通すための穴を有する紐側の取付け具と、カードホルダホルダー取付け用クリップを備えたカードフォルダー側の取付け具とからなる取付け具であって、前記カードフォルダー側の取付け具に対して、前記紐側の取付け具を９０度回転させる機構を有することを特徴とした取付け具。
(57)【要約】      （修正有）【課題】形状を単純化して脱衣が速やかに行える汗取りタオルを提供する。【解決手段】長方形３枚のタオル生地のうち２枚を左右の前胸部２、３にし、残りの１枚を背中部１にして、背中部を中心に左右の前胸部を切り合わせたＹ字形に互いに縫い合わせて形成されると共に、２枚の前胸部に、それぞれを止める面ファスナー５を設けた。形状をＹ字形にする事で、前胸部の面ファスナーを外す事により衣類や下着を脱ぐことなく襟元から汗取りタオルを引き抜くことにより簡単に脱衣できる。【選択図】図１
0003200142.tif 000002
【実用新案登録請求の範囲】
【請求項１】
タオル生地をＹ字形に胸当て２ヶ所と背面を縫い合わす事で形状が単純になり
マジックテープ（登録商標）で胸当てを止めることで、身体に固定する事が出来る汗取りタオルである。
【請求項２】
衣類や下着を脱ぐことなく襟元から汗取りタオルを引き抜くことにより脱衣できる事を特徴とするタオルである。
【考案の詳細な説明】
【技術分野】
【０００１】この考案は、スポーツや作業時に上半身の汗を吸い取るタオルである。
【背景技術】
【０００２】従来の汗とり着衣の形状は、ベストのような形状やかぶって装着するものでタオルを切合わせた物はなかった。
【先行技術文献】
【０００３】
【特許文献１】  特開２０１０−０５３４８５号公報
【特許文献２】  特開２００５−０４２２７２号公報
【特許文献３】  特開２００４−３０８０８３号公報
【考案の概要】
【考案が解決しようとする課題】
【０００４】従来のベストのような形状やかぶって装着するものでは脱衣が速やかに行い難く、また形状が複雑になるのが難点である。
【課題を解決するための手段】
【０００５】課題を解決するためにＹ字形に長方形のタオルを切り合わせた形にすることで形状が、簡単になり装着することが容易に出来る。装着後下着を重ねて着るときに汗とりタオルをマジックテープ（登録商標）にて胸前で止めれば下着を重ねて着る時にずれる事が無くマジックテープ（登録商標）を外せば襟元から汗取りタオルを引き抜けば簡単に脱衣することが出来る。脱着後普段のタオルと同じように、人目を気にしないで収納や乾燥をすることが出来る。
【考案の効果】
【０００６】形状が単純で制作が容易にできる。形状が一般のタオルと変わらないため人目についても気にしないで済むことである。胸元のマジックテープ（登録商標）を外して襟元より引き抜けば簡単に身体より脱衣が可能である。
【図面の簡単な説明】
【０００７】
【図１】この考案の展開図である。
【図２】この考案の実施形態を示す正面図である。
【図３】この考案の実施形態を示す背面図である。
【符号の説明】
【０００８】▲１▼：  背中部
▲２▼：  前胸部（右）
▲３▼：  前胸部（左）
▲４▼：  ミシン縫い部
▲５▼：  マジックテープ（登録商標）
【図１】
0003200142.tif 000003
【図２】
0003200142.tif 000004
【図３】
0003200142.tif 000005
【手続補正書】
【提出日】平成27年7月8日(2015.7.8)
【手続補正１】
【補正対象書類名】実用新案登録請求の範囲
【補正対象項目名】全文
【補正方法】変更
【補正の内容】
【実用新案登録請求の範囲】
【請求項１】
長方形３枚のタオル生地のうち２枚を左右の前胸部にし、残りの１枚を背中部にして、前記背中部を中心に前記左右の前胸部を切り合わせたＹ字形に互いに縫い合わせて形成されると共に、前記２枚の前胸部に、それぞれ前記２枚の前胸部を止める面ファスナーを設けたことを特徴とする汗取りタオル。
【請求項２】
形状をＹ字形にする事で、前胸部の面ファスナーを外す事により衣類や下着を脱ぐことなく襟元から汗取りタオルを引き抜くことにより脱衣できる事を特徴とする請求項１記載の汗取タオル。
(57)【要約】      （修正有）【課題】ティーショットによるティーの飛散を防ぎ、合わせて使用上の利便性を高めたゴルフティーを提供する。【解決手段】ティーグランド上に錘２を置き、この錘２を覆い被せる形で、錘２と接続子３で接続された中空円錐台状のボール台１を置き、ティーショットに供するゴルフティーを構成し、ボール台１の上に置いたボールをショットしたときのボール台１の飛散を防ぎ、合わせてゴルフティーとしての構造の簡素化を図り使用上の利便性を高めた。【選択図】図１
0003200188.tif 000002
【実用新案登録請求の範囲】
【請求項１】
中空円錐台状のボール台と錘を接続子で接続したゴルフティーであって、ティーグランド上に錘を置き、この錘を覆い被せる形で、錘と接続子で接続された中空円錐台状のボール台を置き、このボール台の上にゴルフボールを搭載して、ティーショットに供するゴルフティー
【請求項２】
前記ボール台の一部を接続子として成形した請求項1のゴルフティー
【考案の詳細な説明】
【技術分野】
【０００１】
本考案はゴルフティーに関する。
【背景技術】
【０００２】
ゴルフティーはゴルフボールをショットできるように、一定の高さで安定に保持することが基本的な機能である。このため、円錐台形や円柱形のものはティーグランド上に置いて、ティーペグ（丸くぎ状のティー）はグランド中にペグ先端部を差し込んで、それぞれ頭部に載せたゴルフボールをショットできるようにする。いずれの形のティーも、頭部に載せたボールをゴルフクラブでショットした場合、ボールだけを飛ばすのはほとんど不可能に近いことで、ショットと同時にティーも飛びだすのがふつうである。ティーの飛びだす先はショットのたびごとに異なるため、これを探すのに苦労することがある。
【０００３】
この欠点を改善するため、特許文献１のようにティーをボール搭載部と台盤とに分離し、
台盤上にボール搭載部を、ボールを安定して保持できる程度の力で結合してショットに備え、さらに、ショットの衝撃でボール搭載部が遠方まで飛散しないように、ボール搭載部を紐で台盤に接続しているものもある。しかし、ティーをボール搭載部と台盤に分離しているため、ティーアップするときには、分離した部分を結合する準備作業が必要となり、使用者に面倒をかける。
【先行技術文献】
【特許文献】
【０００４】
【特許文献１】実登３１８６７４２
【考案の概要】
【考案が解決しようとする課題】
【０００５】
従来のゴルフティーの欠点であるティーショットによるティーの飛散を防ぎ、合わせて使用上の利便性を高めたティーを提供することが本考案の目的であった。
【課題を解決するための手段】
【０００６】
上記の目的を達成するために、本考案は、ティーグランド上に錘を置き、この錘を覆い被せる形で、錘と接続子で接続された中空円錐台状のボール台を置き、ティーショットに供するゴルフティーを構成している。
【考案の効果】
【０００７】
以上の説明から明らかなように、本考案にあっては、ショット時のティーの飛散を防止することおよび、ティーアップ作業を迅速に実行できる、という効果が得られた。
【図面の簡単な説明】
【０００８】
【図１】ゴルフティーの外観図
【図２】ゴルフティーのボール台の組立図（ａ）展開図（ｂ）成形図
【図３】実施例のゴルフティーのボール台の組立図（ａ）展開図（ｂ）成形図
【図４】本考案にかかるゴルフティーの錘の組立図
【考案を実施するための形態】
【０００９】
以下、本考案の実施の形態を図1から図４に基づいて説明する。図1は本考案の一実施例を示す外観図である。ティーは中空円錐台状のボール台１と錘２および一端をかしめ１１によってボール台１に接続され、他端を小ねじ１２によって錘２に接続された接続子３により構成される。
【００１０】
ティーショットに備えてティーグランド上にティーアップするときは、グランド上に錘２を置き、これと同一のグランド上に、この錘２を覆い被せる形で、錘２と接続子３で接続された中空円錐台状のボール台１を置き、引き続いてボール台１の頭部にボールを載せる一連の作業が必要になる。しかしこの作業は殆ど手間取ることなく迅速に完了する。
【００１１】
本実施例ではボール台１は、図2（ａ）に示す展開図に基づき切断した皮革を図3（ｂ）に示すような形に成形し接着代１１を接着することによって組み立てたものを使用した。しかし、ゴルフボールを搭載できる強度が得られ、ボールをショットした時の衝撃でも破損しない強度を持った中空円錐台状の構造であれば、他の材料や製法を採用しても、本考案のボール台として使用することができる。
【００１２】
この例では、接続子３として革帯を使用したが、他の材料でできた帯や紐などを採用しても本考案の目的を達成することができる。また接続子３とボール台１および錘２との接続方法についても、ねじ止めやかしめ以外の方法でも本考案の目的を果たすことができる。
【００１３】
図４は本考案の他の実施例のボール台１の組立図であるが、ボール台の構造の一部として接続子３を含ませている。この場合ボール台１と接続子3との接続は不要となる。
【００１４】
錘２は、本実施例では、図４に示す加工図に基づき密度の大きな鋼板を加工して製作している。ここでは、円板状の錘を例示しているが、大きさがボール台の内部に納まること、および質量がボール台の質量に比べて十分大きいことを満たせば、他の材質や形状でも本考案の目的を果たすことができる。
【００１５】
また、付加する錘の数は複数であってもよく、分散してボール台の内部の下の方に縫い込むなどの方法で組み込んでも本考案の目的を達成できる。
【符号の説明】
【００１６】
１ボール台
２錘
３接続子
１１かしめ
１２小ねじ
２１接着しろ
【図１】
0003200188.tif 000003
【図２】
0003200188.tif 000004
【図３】
0003200188.tif 000005
【図４】
0003200188.tif 000006
(57)【要約】      （修正有）【課題】宣伝したい商品のパッケージを模した立体模型とすることで多方向からの視認性及び宣伝効果を高めることが出来る組立式立体スイングＰＯＰ広告を提供する。【解決手段】１枚のフィルムシートを打ち抜き加工し形成された部材を組み立てることにより、商品パッケージを模した立体物となる組立式立体スイングＰＯＰ広告であって、前記部材は組立時に折り曲げる部分に施された折筋加工と、組立時に結合する部分の一方の辺に形成された切込みａ、ｂ、ｃ、ｄと、他方の辺に形成された差込みｅ、ｆ、ｇ、ｈ、ｉ、ｊとを有する。【選択図】図１
0003200138.tif 000002
【実用新案登録請求の範囲】
【請求項１】
フィルムシートを様々な形に打ち抜き、ハサミ等を使用することなく切り取り、のりやテープを使用することなく容易に組立てることができる組立式立体スイングＰＯＰ広告。
また、抜き型を変更する事で様々な商品パッケージに似せた立体的なスイングＰＯＰを作ることが出来る。
【請求項２】
素材にフィルムシートを使用する事で、紙に比べ使用時に劣化しにくい請求項１記載の組立式立体スイングＰＯＰ広告。
【考案の詳細な説明】
【技術分野】
【０００１】  本考案は、フィルムシート製のＰＯＰ広告に関するものである。
【背景技術】
【０００２】  従来の紙製スイングＰＯＰ広告の多くは、一度、首部分が折れて変形してしまうとスイングＰＯＰ広告としての機能が低下してしまう欠点があった。さらに、紙製ゆえに商品パッケージを模したスイングＰＯＰ広告の場合、不透明素材なため、中身を見せることができなかった。
【考案文献１】
【考案の開示】
【考案が解決しようとする課題】
【０００３】  従来の紙製スイングＰＯＰ広告の多くはシート状の平面的なもので、商品パッケージの形が伝えられず、どの商品のスイングＰＯＰ広告か分かりにくいため、他の商品との差別化が困難という問題があった。【０００４】  また、紙製スイングＰＯＰ広告では、折れたり、破けたりしてスイングＰＯＰとしての効果が短かった。
【課題を解決するための手段】
【０００５】  本考案の組立式立体スイングＰＯＰ広告は、１枚のフィルムシートから構成された組み立て式の立体模型であるため、宣伝したい商品パッケージを模した形状をしており、容易に商品を探し出すことができる。【０００６】  また、破れにくいフィルムシート製なので複雑な形状の組立てにも対応でき、様々な商品を模したスイングＰＯＰ広告を作り出すことで、他の商品との差別化及び、スイングＰＯＰ広告としての耐久性を高めている。
【考案の効果】
【０００７】  本考案の組立式立体スイングＰＯＰ広告は本考案を宣伝したい商品のパッケージを模した立体模型とすることで多方向からの視認性及び宣伝効果を高めることが出来る。【０００８】  フィルムシート特有の透明感を生かしたデザインを施すことで、スイングＰＯＰ広告としての存在感をより高めることができる。
【考案を実施するための最良の形態】
【０００９】  以下添付図面に従って実施例を説明する。【００１０】  （図１）は型抜きされた１枚のフィルムシートである。このプラスチックシートの（Ａ）辺、（Ｂ）辺、（Ｃ）辺、（Ｄ）辺を谷折りし、（Ｇ）辺と（Ｈ）辺も谷折りする。更に、（Ｅ）辺、（Ｆ）辺、（Ｉ）辺、（Ｊ）辺を谷折りし、（Ｋ）辺と（Ｌ）辺を山折りする。続いて（Ｒ）辺、（Ｍ）辺を谷折りする。（ｂ）と（ｈ）、（ｄ）と（ｇ）、（ａ）と（ｆ）、（ｃ）と（ｅ）、（ｉ）と（ｊ）をそれぞれ切込みに差し込む。店頭にてスイングＰＯＰとして使用する際には、首部（２）上端に両面テープを貼り、売り場の什器等に貼り付けて使用する。
素材に広告等を様々な方法により印刷することで販促品としての効果が期待できる。
【図面の簡単な説明】
【００１１】
【図１】組立式立体スイングＰＯＰ広告の展開図
【図２】組立式立体スイングＰＯＰ広告の全体斜視図
【符号の説明】
【００１２】１．背面
２．首部
３．折込面
Ａ．折り目
Ｂ．折り目
Ｃ．折り目
Ｄ．折り目
Ｅ．折り目
Ｆ．折り目
Ｇ．折り目
Ｈ．折り目
Ｉ．折り目
Ｊ．折り目
Ｋ．折り目
Ｌ．折り目
Ｍ．折り目
Ｎ．折り目
Ｏ．折り目
Ｐ．折り目
Ｑ．折り目
Ｒ．折り目
ａ．切込
ｂ．切込
ｃ．切込
ｄ．切込
ｅ．差込
ｆ．差込
ｇ．差込
ｈ．差込
ｉ．差込
ｊ．切込
【図１】
0003200138.tif 000003
【図２】
0003200138.tif 000004
【手続補正書】
【提出日】平成27年7月13日(2015.7.13)
【手続補正１】
【補正対象書類名】実用新案登録請求の範囲
【補正対象項目名】全文
【補正方法】変更
【補正の内容】
【実用新案登録請求の範囲】
【請求項１】
１枚のフィルムシートを打ち抜き加工し形成された部材を組み立てることにより、商品パッケージを模した立体物となる組立式立体スイングＰＯＰ広告であって、前記部材は組立時に折り曲げる部分に施された折筋加工と、組立時に結合する部分の一方の辺に形成された切込みと、他方の辺に形成された差込みとを有することを特徴とする組立式立体スイングＰＯＰ広告。
(57)【要約】      （修正有）【課題】好みの家紋、校紋、個人紋、校章、趣味の写真を載せた飾りプレートを提供する。【解決手段】自動車ナンバープレート型の飾りプレートであって、家紋、社紋、個人紋、県市町村徽章、校章又は趣味の写真５のいずれか１つを印刷したビニールのバックシート３が貼り付けされ、かつ、年号、生年月日、入学年号日、卒業年号日、入社年号日、退職年号日又は結婚年号日のいずれか１つが、プレート文字４として、飾りプレートに直接印刷、又はビニールシートに印刷される。【選択図】図２
0003200132.tif 000002
【実用新案登録請求の範囲】
【請求項１】
自動車ナンバープレート型の飾り記念プレート、アルミプレート又は、軽金属プレートに家紋、社紋、個人紋、校章、記念年号、生年月日、入学記念日、卒業記念日、入社記念日、退職記念日、結婚記日、記念写真をプレートに直接印刷、ビニールシートに印刷又はナイロンシートに印刷してプレートに貼り、自動車ナンバープレート型の飾り記念プレートにする。
【考案の詳細な説明】
【技術分野】
【０００１】本考案は、自動車ナンバープレート型の飾り記念プレートで、アルミプレート又は軽金属プレートに家紋、社紋、個人紋、校章、記念年号、生年月日、入学記念日、卒業記念日、入社記念日、退職記念日又は結婚記念日を印刷又は写真を入れ、飾り記念プレートにする。
【背景技術】
【０００２】アルミ板又は軽金属版に家紋、社紋、個人紋、校章、記念年号、生年月日、入学記念日、卒業記念日、入社記念、退職記念日又は結婚記念日を印刷又は写真を入れた飾り記念プレート。
【考案の概要】
【０００３】自動車ナンバープレート型のプレートに家紋、社紋、個人紋、記念年号、生年月日、入学記念日、卒業記念日、入社記念日、退職記念日又は結婚記念日などを印刷又は写真を入れ飾り記念プレートにする。
【考案が解決しようとする課題】
【０００４】好みの家紋、校紋、個人紋、校章、趣味の写真をプレートに載せる。
【課題を解決する為の手段】
【０００５】アルミプレート又は軽金属プレートに家紋、社紋、個人紋、校章、趣味の写真を直接プレートに印刷、ビニールシート又はナイロンシートに印刷しプレートにはる。
【考案の効果】
【０００６】家紋、校紋、個人紋、校章、記念年号、記念年号、生年月日、入学記念日、卒業記念日、入社記念日、退職記念日、結婚記念日を印刷、写真を入れた飾り記念プレートにする。
【考案を実施するための形態】
アルミプレート又は軽金属プレートを自動車ナンバープレート型に加工し、家紋、社紋、個人紋、校章、記念年号、生年月日、入学記念日、卒業記念日、入社記念日、退職記念日、結婚記念日を印刷又は写真を入れ飾り記念プレート。
【実施例】
【０００７】自動車ナンバープレート型のプレートに、家紋、社紋、個人紋、校章、記念年号、生年月日、入学記念日、卒業記念日、入社記念日、退職記念日、結婚記念日を印刷又は写真入れた飾り記念プレートにする。
【図面の簡単な説明】
【０００８】
【図１】アルミ板に写真、記念日を印刷を入れたプレート。
【図２】プレートの詳細面図である。
【符号の説明】
【０００９】１    アルミプレート
２    切り込み穴
３    バックシート
４    プレート文字
５    写真
【図１】
0003200132.tif 000003
【図２】
0003200132.tif 000004
【手続補正書】
【提出日】平成27年3月24日(2015.3.24)
【手続補正１】
【補正対象書類名】実用新案登録請求の範囲
【補正対象項目名】全文
【補正方法】変更
【補正の内容】
【実用新案登録請求の範囲】
【請求項１】
自動車ナンバープレート型の飾りプレート、プレートに家紋、社紋、個人紋、県市町村徽章、校章又は趣味の写真を一つ選び、ビニールシートに印刷しプレートに貼り、年号、生年月日、入学年号日、卒業年号日、入社年号日、退職年号日又は結婚年号日を一つ選び、プレートに直接印刷、又はビニールシートに印刷し、飾りプレートにする。
【手続補正書】
【提出日】平成27年5月26日(2015.5.26)
【手続補正１】
【補正対象書類名】実用新案登録請求の範囲
【補正対象項目名】全文
【補正方法】変更
【補正の内容】
【実用新案登録請求の範囲】
【請求項１】
自動車ナンバープレート型の飾りプレートであって、家紋、社紋、個人紋、県市町村徽章、校章又は趣味の写真のいずれか１つを印刷したビニールシートが貼り付けされ、かつ、年号、生年月日、入学年号日、卒業年号日、入社年号日、退職年号日又は結婚年号日のいずれか１つが、前記飾りプレートに直接印刷、又は前記ビニールシートに印刷されたことを特徴とする飾りプレート。
(57)【要約】      （修正有）【課題】車のエアコンを入れると、静電気が発生しやすくなり、車から降りる際、ドアの取手に触れると、指にビシッと痛みを覚えるのを、防止する事を備えた手首に巻くアースバンドを提供する。【解決手段】静電気を常時放電させるため、手首に巻くアースバンドは面ファスナー１の裏面に直径２ｍｍ位のより電線３をジグザグに取付、そこからカールコード４を接続し、その端にクリップ２を接続し、車のノブに挟み込む事で、常時放電させる事ができる。【選択図】図１
0003200135.tif 000002
【実用新案登録請求の範囲】
【請求項１】
車のエアコンを利かせた場合、静電気が発生し、ドアのノブに触れると静電気で感電するが、手首にアースバンド電極を巻き付け、車の車体にアースさせ、常時放電させて静電気を溜まらないようにし、一気に静電気を放電させないようにする。
【考案の詳細な説明】
【技術分野】
【０００１】  本考案は、車のエアコンを入れると、静電気が発生しやすくなり、車から降りる際、ドアの取手に触れると、指にビシッと痛みを覚えるのを、防止する事を備えたことを特徴とする静電気防止ベルト。
【背景技術】
【０００２】  現在、エアコンを利かすと、静電気が発生しドアの取手に触れるビリッと感電し、指に痛みを発生する欠点がある。
【考案が解決しようとする課題】
【０００３】  従来技術では、エアコンを利かすと静電気が発生し、静電気が溜まると、ドアのノブなどに触れると一気に放電し、手の指などに強い痛みを発生する。
【課題を解決するための手段】
【０００４】  本考案は、空気の摩擦に依り体中に静電気が発生するが、身体を車体にアースさせ、常時放電させる事に依り、体中の静電気が溜まるのを防止する。
【考案の効果】
【０００５】  車のノブ又は、座席のフレームに身体をアースさせる事に依り、問題を解決できる。
【考案を実施するための最良の形態】
【０００６】  身体に溜まった静電気はアースバンド３の電極を手首又は、足首に密着させ、４のカールコードを経由して、２のクリップに伝達され、ドアのノブ又は、座席のフレームに流れ静電気を車の車体に流す装置で、エレキギターのノイズ減少にも応用することができる。
【図面の簡単な説明】
【０００７】
【図１】は本考案の斜視図を表す
【符号の説明】
【０００８】１．  アースバンド
２．  クリップ
３．  アースバンド電極
４．  カールコード
【図１】
0003200135.tif 000003
【手続補正書】
【提出日】平成27年5月19日(2015.5.19)
【手続補正１】
【補正対象書類名】実用新案登録請求の範囲
【補正対象項目名】全文
【補正方法】変更
【補正の内容】
【実用新案登録請求の範囲】
【請求項１】
静電気を常時放電させるため、手首に巻くアースバンドは面ファスナー１の裏面に直径２ｍｍ位のより電線３をジグザグに取付、そこからカールコード４を接続し、その端にクリップ２を接続し、車のノブに挟み込む事で、常時放電させる事ができる。
【手続補正書】
【提出日】平成27年7月14日(2015.7.14)
【手続補正１】
【補正対象書類名】実用新案登録請求の範囲
【補正対象項目名】全文
【補正方法】変更
【補正の内容】
【実用新案登録請求の範囲】
【請求項１】
静電気を常時放電させるため、手首に巻くアースバンドは面ファスナー１の裏面に直径２ｍｍ位のより電線３をジグザグに取付、そこからカールコード４を接続し、その端にクリップ２を接続し、車のノブに挟み込む事で、常時放電させる事ができる、手首に巻くアースバンド。